【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】
第１のダイオードを構成する第１のバイポーラトランジスタと上記第１のダイオードの両端の電圧を増幅して所定の電圧を出力する増幅回路とを含む電圧発生回路と、
上記第１のダイオードに電流を供給する基準電流源回路と、
上記第１のダイオードに流れる電流をバイパスする電流制御回路と、
を有する定電圧発生回路。
【請求項２】
上記電流制御回路は、第１の電源端子と第２の電源端子と間に直列に接続されている第１の抵抗素子、第２のバイポーラトランジスタ及び第３のバイポーラトランジスタと、上記第１のダイオードに並列に接続されている第４のバイポーラトランジスタとを含み、上記第２のバイポーラトランジスタのベースがそのコレクタに接続されて第２のダイオードが構成され、上記第３のバイポーラトランジスタのベースと上記第４のバイポーラトランジスタのベースとが上記第３のバイポーラトランジスタのコレクタに接続されて第１のカレントミラー回路が構成されている請求項１に記載の定電圧発生回路。
【請求項３】
上記基準電流源回路は、上記第１の電源端子と上記第１のダイオードのアノードとの間に接続されている第１のＭＯＳトランジスタと、ゲート及びドレインが上記第１のＭＯＳトランジスタのゲートに接続されている第２のＭＯＳトランジスタとを含み、上記第１のＭＯＳトランジスタと上記第２のＭＯＳトランジスタとで第２のカレントミラー回路が構成されている請求項１又は２記載の定電圧発生回路。
【請求項４】
上記基準電流回路は、上記第１の電源端子と上記第２の電源端子との間に直列に接続されている第２の抵抗素子及び第５のバイポーラトランジスタと、上記第２のＭＯＳトランジスタのドレインと上記第２の電源端子との間に接続されている第６のバイポーラトランジスタと、上記第１の電源端子と上記第２の電源端子との間に直列に接続されている第３の抵抗素子、第７のバイポーラトランジスタ及び第８のバイポーラトランジスタと、上記第５のバイポーラトランジスタに並列に接続されている第９のバイポーラトランジスタと、上記第１の電源端子と上記第２の電源端子との間に直列に接続されている第１０のバイポーラトランジスタ及び第４の抵抗素子とを含み、上記第５のバイポーラトランジスタのベースと上記第６のバイポーラトランジスタのベースとが上記第５のバイポーラトランジスタのコレクタに接続されて第３のカレントミラー回路が構成され、上記第７のバイポーラトランジスタのベースと上記第１０のバイポーラトランジスタのベースとが上記第７のバイポーラトランジスタのコレクタに接続されて第４のカレントミラー回路が構成され、上記第８のバイポーラトランジスタのベースと上記第９のバイポーラトランジスタのベースとが上記第１０のバイポーラトランジスタと上記第４の抵抗素子との接続中点に接続されている請求項３記載の定電圧発生回路。
【請求項５】
第１のダイオードとして接続された第１のバイポーラトランジスタと、
第１のバイポーラトランジスタに結合され、上記第１のトランジスタを横切る電圧を増幅して出力端子に所定の電圧を供給する増幅回路と、
上記第１のトランジスタに対して電流を与える基準電流源回路と、
上記第１のトランジスタに結合され、上記出力端子における負の温度係数を有する上記所定の電圧を保障するために上記第１のトランジスタから電流を分流する制御回路と、
を有する定電圧発生回路。
【請求項６】
上記出力端子の電圧を受けるように結合されたＥＣＬ回路を更に有し、
上記出力電圧の負の温度係数が上記ＥＣＬ回路の熱暴走を防止する請求項５に記載の定電圧発生回路。
【手続補正２】
【補正対象書類名】明細書
【補正対象項目名】００２８
【補正方法】変更
【補正の内容】
【００２８】
更には、基準電流回路は、上記第１の電源端子と上記第２の電源端子との間に直列に接続されている第２の抵抗素子及び第５のバイポーラトランジスタと、上記第２のＭＯＳトランジスタのドレインと上記第２の電源端子との間に接続されている第６のバイポーラトランジスタと、上記第１の電源端子と上記第２の電源端子との間に直列に接続されている第３の抵抗素子、第７のバイポーラトランジスタ及び第８のバイポーラトランジスタと、上記第５のバイポーラトランジスタに並列に接続されている第９のバイポーラトランジスタと、上記第１の電源端子と上記第２の電源端子との間に直列に接続されている第１０のバイポーラトランジスタ及び第４の抵抗素子とを含み、上記第５のバイポーラトランジスタのベースと上記第６のバイポーラトランジスタのベースとが上記第５のバイポーラトランジスタのコレクタに接続されて第３のカレントミラー回路が構成され、上記第７のバイポーラトランジスタのベースと上記第１０のバイポーラトランジスタのベースとが上記第７のバイポーラトランジスタのコレクタに接続されて第４のカレントミラー回路が構成され、上記第８のバイポーラトランジスタのベースと上記第９のバイポーラトランジスタのベースとが上記第１０のバイポーラトランジスタと上記第４の抵抗素子との接続中点に接続されている。
また、第１のダイオードとして接続された第１のバイポーラトランジスタと、第１のバイポーラトランジスタに結合され、上記第１のトランジスタを横切る電圧を増幅して出力端子に所定の電圧を供給する増幅回路と、上記第１のトランジスタに対して電流を与える基準電流源回路と、上記第１のトランジスタに結合され、上記出力端子における負の温度係数を有する上記所定の電圧を保障するために上記第１のトランジスタから電流を分流する制御回路とを有する定電圧発生回路を提供する。
さらに、上記出力端子の電圧を受けるように結合されたＥＣＬ回路を更に有し、上記出力電圧の負の温度係数が上記ＥＣＬ回路の熱暴走を防止する請求項５に記載の定電圧発生回路を提供する。
【手続補正３】
【補正対象書類名】明細書
【補正対象項目名】００４１
【補正方法】変更
【補正の内容】
【００４１】
電流源回路１０の概略動作を述べる。
トランジスタＱＡ２のベースにはトランジスタＱＡ１のコレクタ電圧が印加され、トランジスタＱＡ１のベースには抵抗素子ＲＡ２の端子電圧が印加されている。
トランジスタＱＡ２に流れる電流ｉ(QA2) は抵抗素子ＲＡ２の抵抗値RA2 によって規定され、ｉ(QA2) ＝ＶBE(QA1) ／RA2 である。ここで、トランジスタＱＡ１のベース・エミッタ間電圧ＶBE(QA1) と抵抗素子ＲＡ２の抵抗値RA2 とは共に温度係数が負であり、温度上昇に伴って値が小さくなるから、ＶBE／RA2 は打ち消しあい大きな温度係数にはならない。すなわち、トランジスタＱＡ１に流れる電流ｉ(QA1) の温度係数は大きな値とはならず、温度依存性がないと考えることができる。
トランジスタＭＰ１とトランジスタＭＰ２とはカレントミラー型定電流源回路を構成しているから、トランジスタＭＰ２にはトランジスタＭＰ１に流れる電流と同じ電流が流れる。すなわち、トランジスタＭＰ２からｉ(MP2) ＝ＶBE(QA1)／ＲＡ２の電流が電圧発生回路３０のノードＮ１に流れる。
このように、電流源回路１０は一定の電流ｉ(MP2) を電圧発生回路３０に提供する基準電流源回路として機能する。
【手続補正４】
【補正対象書類名】明細書
【補正対象項目名】００６１
【補正方法】変更
【補正の内容】
【００６１】
トランジスタＱＡ１４と同じ電流がトランジスタＱＡ１３に流れる。よって、トランジスタＱＡ１３は、そこに流れる電流分だけノードＮ２から電流を引き抜く。また、抵抗素子ＲＡ１１に流れる電流は、ｉ（ＲＡ１１）＝（Ｖcc−ＶBE）／ＲＡ11と表わすことができる。
第２のカレントミラー型定電流源回路を構成しているトランジスタＱＡ１１に流れる電流は抵抗素子ＲＡ１１に流れる電流からトランジスタＱＡ１３に流れる電流を引いた電流であるから、抵抗素子ＲＡ１１とＲＡ１２とを等しい抵抗値に設定することにより、下記式で規定される。